(57)【要約】【課題】月の遠近に関する情報及び月の遠近による要注意日が記載されたカレンダーを提供する。【解決手段】本発明に係るカレンダー８０は、月の満ち欠けと月の遠近とを統合し、月の遠近を月の満ち欠け表示の大きさで表す。このため、ユーザは月の横の動きと縦の動きとを複合的且つ直感的に把握することができる。また、統計的に大災害、大事故、気象変化、体調不良の発生する可能性の高い最遠日と最近日との中間日に警告表示４０ａ、４０ｂを付与するため、ユーザは月の遠近による要注意日を視覚的に把握することができる【選択図】図１
2013188923.tif 000002
【特許請求の範囲】
【請求項１】
暦上の月を表示する月表示と、暦上の日を表示する日表示と、暦上の曜日を表示する曜日表示と、前記日表示と一対一対応し表示日の月の満ち欠け状態を表示する満ち欠け表示と、を有するカレンダーにおいて、
月の遠近を前記満ち欠け表示の大きさで示すとともに、
月が最も遠くに位置する最遠日と月が最も近くに位置する最近日との中間日に警告表示を付与することを特徴とするカレンダー。
【請求項２】
最遠日と最近日との中間が日と日の間に位置する場合には双方の日の満ち欠け表示の間に警告表示を付与することを特徴とする請求項１に記載のカレンダー。
【請求項３】
月が近づく際の警告表示の色を、月が遠のく際の警告表示の色よりも濃い色で示すことを特徴とする請求項２に記載のカレンダー。
【請求項４】
警告表示を赤色系の色で示すことを特徴とする請求項１乃至請求項３のいずれかに記載のカレンダー。
【発明の詳細な説明】
【技術分野】
【０００１】
本発明は、月の満ち欠け状態及び遠近を表示したカレンダーに関する。
【背景技術】
【０００２】
従来のカレンダーは、地球の公転周期により定められた１年３６５日を基本とし、暦上の月（１月〜１２月）を表示する月表示と、暦上の日（１〜３１）を表示する日表示と、暦上の曜日（月曜日〜日曜日）を表示する曜日表示と、を有している。また、下記［特許文献１］に示すように、日表示と一対一対応し表示日の月の満ち欠け状態を表示する満ち欠け表示を備えたカレンダーも市販されている。
【先行技術文献】
【特許文献】
【０００３】
【特許文献１】実開昭６０−０６０２６９号公報
【発明の概要】
【発明が解決しようとする課題】
【０００４】
従来から、月の満ち欠けは生物や人体に影響を及ぼすと考えられている。例えば、ある種の生物は新月や満月を機に一斉に産卵を行うことが知られている。また、満月、新月の日には交通事故等の発生件数が増加するという統計的データが存在する。これら月の満ち欠けが生物に及ぼす周期的な影響、所謂バイオタイドは、月が地球の周囲を２９．５日の周期で一回りするときの地球と太陽と月の位置関係に基づく重力の変化によるものと推測される。
【０００５】
しかしながら、月の公転軌道は完全な円ではなく楕円軌道となっており、月と地球の距離は周期的に変化する。そして、その月と地球との遠近に起因する重力の変化は月の満ち欠けと同様に人体や気象等に影響を与えるものと考えられる。ただし、従来のカレンダーにはこの月の遠近に関する情報及び月の遠近による要注意日は記載されておらず、この点で更なる改善が望まれる。
【０００６】
本発明は上記事情に鑑みてなされたものであり、月の遠近に関する情報及び月の遠近による要注意日が記載されたカレンダーを提供することを目的とする。
【課題を解決するための手段】
【０００７】
本発明は、
（１）暦上の月を表示する月表示３０と、暦上の日を表示する日表示３２と、暦上の曜日を表示する曜日表示３４と、前記日表示３２と一対一対応し表示日の月の満ち欠け状態を表示する満ち欠け表示３６と、を有するカレンダーにおいて、
月の遠近を前記満ち欠け表示３６の大きさで示すとともに、
月が最も遠くに位置する最遠日と月が最も近くに位置する最近日との中間日に警告表示４０ａ、４０ｂを付与することを特徴とするカレンダー８０を提供することにより、上記課題を解決する。
（２）最遠日と最近日との中間が日と日の間に位置する場合には双方の日の満ち欠け表示３６の間に警告表示４０ｂを付与することを特徴とする上記（１）記載のカレンダー８０を提供することにより、上記課題を解決する。
（３）月が近づく際の警告表示４０ａ、４０ｂの色を、月が遠のく際の警告表示４０ａ、４０ｂの色よりも濃い色で示すことを特徴とする上記（２）記載のカレンダー８０を提供することにより、上記課題を解決する。
（４）警告表示４０ａ、４０ｂを赤色系の色で示すことを特徴とする上記（１）乃至（３）のいずれかに記載のカレンダー８０を提供することにより、上記課題を解決する。
【発明の効果】
【０００８】
本発明に係るカレンダーは、月の遠近に関する情報を月の満ち欠け表示の大きさで表すため、月の遠近を直感的に把握することができる。また、月の遠近に起因する要注意日に警告表示が付与されているため、ユーザは月の遠近に起因する要注意日を視覚的に把握することができる。
【図面の簡単な説明】
【０００９】
【図１】本発明に係るカレンダーの例を示す図である
【図２】本発明に係るカレンダーの第２の例を示す図である。
【発明を実施するための形態】
【００１０】
先ず、本発明の背景を説明する。月には大別して２つの動きが存在する。一つは先に述べたように、我々が日常目にしている月の満ち欠けの動きである。ここでは、この月の満ち欠けの動きを月の横の動きと記述する。また、月のもう一つの動きとして月の遠近がある。前述のように月の公転軌道は完全な円ではなく楕円軌道となっており、地球から最も近い距離は約３６．３万キロメートルであり、最も遠い距離は約４０．５万キロメートルである。つまり、月と地球との距離はこの間を周期的に変化する。そして、月が地球に最も遠くに位置する最遠日から、月が最も近くに位置する最近日までの日数は１２日〜１６日となっている。尚、ここではこの月の遠近の動きを縦の動きと記述する。
【００１１】
本願発明者は、この月の縦の動きも横の動きと同等に、生物や人体、気象等に影響を与えるものと考え、事件や事故が多発していながら月の横の動きでは説明のできない日に関して長年にわたり調査を行った。その結果、月の最遠日と最近日との中間日に事件や事故、災害等の発生する可能性が高いことを発見した。本発明に係るカレンダーは、月の遠近の情報とこの月の遠近による要注意日をカレンダーに記入することで、ユーザに対し月の縦の動きに起因する要注意日を示し、これに対する注意喚起を促すものである。
【００１２】
次に、本発明に係るカレンダーの実施の形態について図面に基づいて説明する。図１（ａ）は、本発明に係るカレンダー８０の２０１２年３月の例を示すものである。また、図１（ｂ）は、本発明に係るカレンダー８０の２０１２年４月の例を示すものである。
【００１３】
図１（ａ）、（ｂ）に示すカレンダー８０は、暦上の月を表示する月表示３０と、暦上の日を表示する日表示３２と、暦上の曜日を表示する曜日表示３４と、日表示３２と一対一対応し日表示３２の表示日の月の満ち欠け状態を表示する満ち欠け表示３６とを有している。
【００１４】
満ち欠け表示３６は実際の月の満ち欠け状態を模式的に示すものであり、月部分を白色、黄色もしくは月の写真とし、影部分を黒色とすることが好ましい。そして、実際の月の満ち欠けと対応して月部分、影部分が増減し満月、下弦、新月、上弦を一定の周期で繰り返す。尚、図１において、３月８日と４月７日が満月にあたり、３月２２日と４月２１日が新月にあたる。
【００１５】
また、本発明に係るカレンダー８０の満ち欠け表示３６は、月の遠近に応じてその大きさが変化する。よって、月が地球に最も接近する最近日（図１における３月１０日と４月８日）の満ち欠け表示３６は最も大きく表示される。尚、図１においては、最近日にＭＮの文字が記入されている。そして、この満ち欠け表示３６は最近日から日数が経過するに従って徐々に小さく表示され、月が地球から最も遠方にある最遠日（図１における３月２６日と４月２２日）において最も小さく表示される。尚、図１においては、最遠日にＭＦの文字が記入されている。そして、この満ち欠け表示３６は最遠日から日数が経過するに従って徐々に大きく表示され、最近日において再度最大となる。尚、この最遠日と最近日との間隔は１２日〜１６日である。
【００１６】
このように本発明に係るカレンダー８０は、月の遠近を月の満ち欠け表示３６の大小という遠近法的な手法を用いてビジュアル的に表している。このため、ユーザは月の遠近を直感的に把握することができる。
【００１７】
また、カレンダー８０は、月が最も遠くに位置する最遠日と月が最も近くに位置する最近日との中間日に警告表示を有している。例えば、図１においては最遠日と最近日との中間日にあたる３月４日、３月１８日、４月１５日、４月２９日に警告表示４０ａが付与される。この最遠日と最近日との中間日は統計的に大災害、大事故、気象変化、体調不良の発生する可能性の高い日であり、カレンダー８０ではこの日に警告表示４０ａを付与することで、ユーザに対し月の遠近に起因する要注意日を視覚的に知らせることができる。尚、この警告表示４０ａは如何なるものを用いても良いが、月に起因する要注意日であることを意識させるため、要注意日の満ち欠け表示３６を他の満ち欠け表示３６とは別の色で着色もしくは縁取ることが好ましい。この警告表示に使用する別の色は、ユーザに注意喚起を促すように赤色系の色を用いることが好ましい。尚、本例では警告表示４０ａとして満ち欠け表示３６の月部分に斜線を施すことで、満ち欠け表示３６の月部分を赤色系の色で着色した例を示している。
【００１８】
また、前述のように最遠日と最近日の間隔は１２日〜１６日であるため、例えば最遠日と最近日の間隔が１３日もしくは１５日である場合、この中間（日）は６日目と７日目の間、もしくは７日目と８日目の間となる。このような場合には、例えば、図１における４月１日と４月２日の間に付与された警告表示４０ｂのように、双方の日の満ち欠け表示３６の間（中間位置が好ましい）に日を跨ぐようにして前述の警告表示４０ａと同色の警告表示４０ｂを付与する。この警告表示４０ｂは当該警告表示４０が付与された双方の日のうち、先の日の午後と後の日の午前に大災害、大事故、気象変化、体調不良の発生する可能性が高いことを示すものであり、ユーザに対しこの時間帯における注意喚起を促すものである。警告表示４０ｂとしては月の遠近に起因する要注意日であることを意識させるため、先の日と後の日の満ち欠け表示３６の略中間の大きさの円とすることが好ましい。尚、図１の例では４月１日と４月２日とが２週に分かれているため、警告表示４０ｂもそれぞれ２つに分割されて表示されている。
【００１９】
尚、上記の警告表示４０ａ、４０ｂは、月が近づく際の警告表示、即ち最遠日を過ぎて最近日へと向かう時の中間（日）の警告表示と、月が遠のく際の警告表示、即ち最近日を過ぎて最遠日へと向かう時の中間（日）の警告表示とを異なる色で示すことが好ましい。ここで、統計的に月が近づく際の中間日に発生する凶事は、月が遠のく際の中間日に発生する凶事よりも大規模となることが多い。よって両者の警告表示の色を異なるものとすることで、生じる凶事の規模をユーザに示すことができる。特に、月が遠のく際の中間日（図１における３月１８日、４月１５日）の警告表示４０ａ、４０ｂを茜色で示し、月が近づく際の中間日（図１における３月４日、４月２９日、及び４月１日と４月２日の間）の警告表示４０ａ、４０ｂを茜色よりも強い警告を意味する濃い赤色で示すことで、月が遠のく際の中間日を茜色の月の日として通常の注意喚起を促し、月が近づく際の中間日を赤い月の日としてさらに強い注意喚起を促すことができる。尚、本例では、赤い月の日を狭い斜線で示し、茜色の月の日を広い斜線で示している。
【００２０】
以上のように、本発明に係るカレンダー８０は、月の満ち欠け（月の横の動き）と月の遠近（月の縦の動き）とを統合し、月の遠近を月の満ち欠け表示の大きさで表す。このため、ユーザは月の横の動きと縦の動きとを複合的且つ直感的に把握することができる。また、統計的に大災害、大事故、気象変化、体調不良の発生する可能性の高い最遠日と最近日との中間日に警告表示４０ａ、４０ｂを付与するため、ユーザは月の遠近による要注意日を視覚的に把握することができる。また、月が近づく際の中間日の警告表示４０ａ、４０ｂを月が遠のく際の中間日の警告表示４０ａ、４０ｂよりも濃い色で示すことで、凶事の規模をユーザに知らしめることができる。
【００２１】
尚、本発明に係るカレンダー８０は、図２に示すように年間カレンダーとしても良いし、日めくりカレンダーとしても良い。また、カレンダー８０の素材は紙に限らず、その他のシート、板、建造物やインテリアの壁面等としても良い。また、カレンダー８０を携帯通信端末やコンピュータ等のモニタや液晶パネルに表示させるようにしてもよい。さらに、本例で示したカレンダー８０は一例であるから、月表示３０、日表示３２、曜日表示３４、満ち欠け表示３６等の表示法や配置はこれに限定されるわけではなく、本発明は本発明の要旨を逸脱しない範囲で変更して実施することが可能である。
【符号の説明】
【００２２】
３０    月表示
３２    日表示
３４    曜日表示
３６    満ち欠け表示
４０ａ、４０ｂ    警告表示
８０    カレンダー
【図１】
2013188923.tif 000003
【図２】
2013188923.tif 000004